(57)【要約】【課題】唇の隅々において十分な美容効果を奏することができる唇用美容器を提供すること。【解決手段】唇用美容器１は、本体部１０と、本体部１０から突出形成されているとともに、唇に当接させるための唇当接面２０を突出端面に備えるヘッド部２と、を有する。唇当接面２０は、ヘッド部２の突出方向Ｘに対して傾斜している。唇当接面２０の外縁２０ａは、唇当接面２０の重心位置Ｇにおける唇当接面２０に垂直な方向Ｙから見て、三方向にそれぞれ湾出する３つの丸角部２１、２２、２３が滑らかにつながった形状を有するとともに、丸角部のうち、曲率半径が最も小さい丸角部２１が突出方向Ｘの先端に位置している。【選択図】図１
2015167638.tif 000002
【特許請求の範囲】
【請求項１】
本体部と、該本体部から突出形成されているとともに、唇に当接させるための唇当接面を突出端面に備えるヘッド部と、を有し、
上記唇当接面は、上記ヘッド部の突出方向に対して傾斜しており、
上記唇当接面の外縁は、上記唇当接面の重心位置における上記唇当接面に垂直な方向から見て、三方向にそれぞれ湾出する３つの丸角部が滑らかにつながった形状を有しているとともに、該丸角部のうち、曲率半径が最も小さい丸角部が上記突出方向の先端に位置していることを特徴とする唇用美容器。
【請求項２】
上記突出方向側の先端に位置する丸角部の曲率半径は、上記唇当接面の重心位置における上記唇当接面に垂直な方向から見て、２．０〜５．０ｍｍであることを特徴とする請求項１に記載の唇用美容器。
【請求項３】
上記当接面の外縁は、上記唇当接面の重心位置における上記唇当接面に垂直な方向から見て、上記唇当接面の上記突出方向の頂点及び上記重心位置を通る中心線に直交する方向に位置するそれぞれの端部において、上記中心線から最も離れたそれぞれの最外点の曲率半径が、上記突出方向の先端に位置している丸角部の曲率半径よりも大きい形状を有していることを特徴とする請求項１又は２に記載の唇用美容器。
【請求項４】
上記唇当接面の外縁は、上記唇当接面の重心位置における上記唇当接面に垂直な方向から見て、上記突出方向と反対側が上記突出方向側の先端に位置する丸角部の曲率半径よりも大きい曲率半径を有する湾曲形状を呈していることを特徴とする請求項１〜３のいずれかに記載の唇用美容器。
【請求項５】
上記唇当接面は、上記唇当接面の外縁から重心位置に近づくにつれて、上記突出方向に向かって緩やかに膨出していることを特徴とする請求項１〜４のいずれかに記載の唇用美容器。
【請求項６】
上記本体部は棒状であって把持可能に構成されているとともに、上記ヘッド部は上記本体部の軸方向に突出しており、上記本体部の外縁の形状は、上記本体部の軸方向から見て、上記唇当接面の外縁の形状と相似であることを特徴とする請求項１〜５のいずれか一項に記載の唇用美容器。
【請求項７】
上記ヘッド部には、上記唇当接面を加温する加温手段が備えられていることを特徴とする請求項１〜６のいずれか一項に記載の唇用美容器。
【請求項８】
上記ヘッド部は中空の柱状に形成されており、上記加温手段は上記ヘッド部における上記唇当接面と反対側の面に当接された発熱装置からなることを特徴とする請求項１〜７のいずれか一項に記載の唇用美容器。
【請求項９】
上記ヘッド部には、唇と上記唇当接面との間に電位差を付与するように構成された電位差付与手段が備えられていることを特徴とする請求項１〜８のいずれか一項に記載の唇用美容器。
【請求項１０】
上記本体部には、上記加温手段及び上記電位差付与手段の動作状態を切り替えるスイッチが備えられているとともに、上記ヘッド部及び上記スイッチを覆うように着脱可能に取り付けられた蓋が備えられていることを特徴とする請求項９に記載の唇用美容器。
【発明の詳細な説明】
【技術分野】
【０００１】
本発明は、唇用美容器に関する。
【背景技術】
【０００２】
従来、唇用美容器として、特許文献１には本体部から突出形成されたヘッド部の先端に唇に当接される唇当接部が設けられており、当該唇当接部が加温されるように構成されたものが開示されている。特許文献１に開示の構成では、加温された唇当接部を唇に当接させることにより、唇を温めて血流を促進して、美容効果を与えている。さらに、特許文献１に開示の構成では当該唇当接部とは別にイオン導入用の電流が流れるように構成されたイオン導入用の唇当接部が備えられている。イオン導入用の唇当接部を唇に当接させることにより、当該唇当接部と唇との間に電位差が生じて美容液を唇への浸透を促すことができる。また、唇用の美容器ではないが、顔などに使用される美容器として、肌面に当接される肌面当接部に加温とイオン導入の両方の機能が備えられたものがある。
【先行技術文献】
【特許文献】
【０００３】
【特許文献１】特開２０１３−１６２８１２号公報
【発明の概要】
【発明が解決しようとする課題】
【０００４】
しかしながら、特許文献１の構成では、加温用の唇当接部の形状を、球状、円柱状又は立方体状などとしたり、多角形柱の先端を部分球面形状にした形状などとしたりしている。かかる唇当接部の形状は、口角の形状と大きく異なっているため、当該唇当接部を唇の端にまで十分に当接させることが難しく、唇の隅々にまで十分な美容効果を奏するには改善の余地がある。また、加温用の唇当接部とイオン導入用の唇当接部とが別個に設けられているため、唇に対して加温とイオン導入を同時に行うことはできない。また、肌面当接部に加温とイオン導入の両方の機能が備えられた上述の美容器は顔用であるため、その肌面当接部の幅は唇の幅よりも大きくなっている。そのため、肌面当接部全体を唇に当接させることが困難となるため、効果的に使用できないという問題がある。また、肌面当接部の幅が大きいため、肌面当接部を唇の縦ジワに沿わせて使用することが困難である。また、この美容器においても肌面当接部の形状は口角の形状と大きく異なっているため、当肌面当接部を唇の端にまで充分に当接させることが難しい。これらの事情から、当該美容器では唇の隅々にまで十分な美容効果を奏するには改善の余地がある。
【０００５】
本発明は、かかる背景に鑑みてなされたもので、唇の隅々において十分な美容効果を奏することができる唇用美容器を提供しようとするものである。
【課題を解決するための手段】
【０００６】
本発明の一態様は、本体部と、該本体部から突出形成されているとともに、唇に当接させるための唇当接面を突出端面に備えるヘッド部と、を有し、
上記唇当接面は、上記ヘッド部の突出方向に対して傾斜しており、
上記唇当接面の外縁は、上記唇当接面の重心位置における上記唇当接面に垂直な方向から見て、三方向にそれぞれ湾出する３つの丸角部が滑らかにつながった形状を有しているとともに、該丸角部のうち、曲率半径が最も小さい丸角部が上記突出方向の先端に位置していることを特徴とする唇用美容器にある。
【発明の効果】
【０００７】
上記唇用美容器においては、唇当接面が上記の形状を呈しているため、唇当接面の突出方向の先端に位置している丸角部を唇の端にまで十分当接させることが容易となる。また、唇当接面の先端に位置している丸角部が先細りの形状を呈することとなるため、いわゆる縦ジワが形成された部分に対しても唇当接面を十分に当接させることができる。その結果、唇の隅々において十分な美容効果を奏することができる。
【０００８】
以上のごとく、本発明によれば、唇の隅々において十分な美容効果を奏することができる唇用美容器を提供することができる。
【図面の簡単な説明】
【０００９】
【図１】実施例１における、蓋を取り外した状態での唇用美容器の正面図。
【図２】実施例１における、蓋を取り外した状態での唇用美容器の左側面一部拡大図。
【図３】実施例１における、ヘッド部の唇当接面の正面一部拡大図。
【図４】実施例１における、蓋を取り外した状態での唇用美容器の上面図。
【図５】実施例１における、蓋を含む唇用美容器の分解斜視図。
【図６】実施例１における、蓋を取り付けた状態での図１のVI-VI線位置断面図。
【図７】実施例１における、唇用美容器の構成を示すブロック図。
【図８】実施例１における、スイッチホルダの正面図。
【図９】図８におけるIX-IX線位置断面図。
【図１０】実施例１における、蓋を取りつけた状態での唇用美容器の斜視図。
【図１１】実施例１における、唇用美容器の加温モードのフロー図。
【図１２】実施例１における、唇用美容器の加温モード及びイオン導入モードのフロー図。
【図１３】実施例１における、唇用美容器の加温モード及びイオン導入モードのフロー図。
【図１４】実施例１における、イオン導入モードでの電流の波形図。
【発明を実施するための形態】
【００１０】
上記唇用美容器において、「唇当接面」とは、ヘッド部の突出方向の先端において、唇に当接可能な面をいうものとする。例えば、ヘッド部が本体部と繋がるヘッド胴体部と、本体部と反対方向に突出する先端に突出端面とを有し、当該突出端面がヘッド部の突出方向に膨らんで上記唇当接面が形成されている場合には、突出方向先端側においてヘッド胴体部の側面が突出方向に交差する方向に湾曲又は屈折する位置から突出方向先端側の面を、唇当接面というものとする。
【００１１】
上記唇用美容器において、「唇当接面の重心位置」とは、唇当接面の外縁形状の重心に相当する位置をいうものであって、例えば、ヘッド部が本体部と繋がるヘッド胴体部と、本体部と反対方向に突出する先端に突出端面とを有し、当該突出端面がヘッド部の突出方向に膨らんで上記唇当接面が形成されている場合には、ヘッド部の側面投影図において、ヘッド胴体部の側面が突出方向先端側において突出方向に交差する方向に湾曲又は屈折する位置のうちで最も突出方向先端側に位置する点と、最も突出方向後端側に位置する点とを通る仮想直線を含むとともに、当該側面投影方向に平行な仮想平面におけるヘッド部の断面の重心に相当する位置をいうものとする。
【００１２】
上記唇用美容器において、「丸角部」とは、丸みを有する角部をいうものとし、当該丸角部は一つの曲率半径を有する曲線によって規定されるものであってもよいし、異なる曲率半径を有する曲線又は直線を複数組み合わせて規定されるものであってもよい。
【００１３】
また、上記唇用美容器において、「３つの丸角部が滑らかにつながった形状」とは、例えば、三角形の各角部が丸みを有する角丸三角形状や、いわゆるティアドロップ形状の尖端部を丸めた形状などを指すものとする。また、上記角丸三角形状は、厳密な三角形の角部が丸みを有するもののほか、３つの丸角部を繋ぐ部分の一部が湾曲した形状や、３つの丸角部を繋ぐ部分全体が湾曲して全体として丸みを帯びた形状を含むものとする。
【００１４】
上記突出方向側の先端に位置する丸角部の曲率半径は、上記唇当接面の重心位置における上記唇当接面に垂直な方向から見て、２．０〜５．０ｍｍであることが好ましい。これにより、唇当接面の突出方向側の先端の丸角部が口角に沿う形状となるため、唇当接面を口角に一層十分当接させることができ、唇に対する美容効果を一層向上できる。
【００１５】
上記唇当接面の外縁は、上記唇当接面の重心位置における上記唇当接面に垂直な方向から見て、上記唇当接面の上記突出方向の頂点及び上記重心位置を通る中心線に直交する方向に位置するそれぞれの端部において、上記中心線から最も離れたそれぞれの最外点の曲率半径が、上記突出方向の先端に位置している丸角部の曲率半径よりも大きい形状を有していることが好ましい。これにより、唇当接面の突出方向側の先端に位置する丸角部を適度に細く維持しつつ、唇当接面の中央付近を中心線に直交する方向において適度に幅広に形成することができる。その結果、唇当接面の突出方向側の先端に位置する丸角部を口角に当接させやすいことに加えて、口角に比べて幅広の唇中央部に対しても唇当接面を十分当接させることができる。これにより、唇全体に対してより一層美容効果を奏することができる。
【００１６】
上記唇当接面の外縁は、上記唇当接面の重心位置における上記唇当接面に垂直な方向から見て、上記突出方向と反対側が上記突出方向側の先端に位置する丸角部の曲率半径よりも大きい曲率半径を有する湾曲形状を呈していることが好ましい。これにより、唇当接面の突出方向側の先端を先細りの形状としつつ、唇当接面の後端側を幅広の形状とすることができる。その結果、唇当接面の突出方向側の先端を口角等に十分当接させることができるとともに、唇当接面の後端部及び中央部を口角よりも幅広の唇中央部に容易に当接させることができる。これにより、唇全体に対する美容効果を一層向上することができる。
【００１７】
上記唇当接面は、上記唇当接面の外縁から重心位置に近づくにつれて、上記突出方向に向かって緩やかに膨出していることが好ましい。これにより、唇当接面が突出方向に緩やかに膨らんだ形状を呈することから、唇当接面が指先や指の腹の形状に近い形状となる。その結果、使用時において唇当接面を唇に当接させたときに、使用者に対して指先や指の腹が唇に触れているように感じさせることができるため、使用感が向上する。また、使用時において唇当接面と唇との摩擦が低減されるため、操作性がよいとともに使用感が向上する。
【００１８】
上記本体部は棒状であって把持可能に構成されているとともに、上記ヘッド部は上記本体部の軸方向に突出しており、上記本体部の外縁の形状は、上記本体部の軸方向から見て、上記唇当接面の外縁の形状と相似であることが好ましい。これにより、使用者は本体部を把持するだけで、唇当接面が向いている方向を把握することができる。通常、使用者は鏡などを使用しなければ自分の唇を直接視認することができないため、使用中に唇当接面の方向を視認するには鏡等が必要となる。しかし、上述の構成を積極的に採用することにより直接視認することなく、唇当接面の方向を認識することできるため、鏡等が不要となることから、使い勝手のよい唇用美容器となる。
【００１９】
上記ヘッド部には、上記唇当接面を加温する加温手段が備えられていることが好ましい。これにより、唇の隅々まで加温することができ、唇の血流を増加させることにより、高い美容効果を奏する。また、使用者における使用時の体感を向上させることができる。また、リップクリームやリップ用ジェルなどの美容剤と合わせて使用する場合には、加温手段により、唇を加温するとともに美容剤を加温することができる。これにより、美容剤の唇への塗り伸ばしが容易となるとともに、当該美容剤の唇への浸透を促して美容効果を向上することができる。
【００２０】
上記ヘッド部は中空の柱状に形成されており、上記加温手段は上記ヘッド部における上記唇当接面と反対側の面に当接された発熱装置からなることが好ましい。これにより、当該加温手段によって発熱装置の熱を唇当接面に効率的に伝播させることができるため、唇当接面の加熱効率が向上する。なお、唇当接面と反対側の面と発熱装置との間に熱伝導性の高い部材を介在させてもよい。これにより、発熱装置から唇当接面への熱の伝播効率を一層向上させることができる。例えば、シリコン樹脂を両者の間に充填することができる。
【００２１】
上記ヘッド部には、唇と上記唇当接面との間に電位差を付与するように構成された電位差付与手段が備えられていることが好ましい。これにより、唇に対してイオン導入効果を奏することができ、使用時に所定の美容液を使用することによって唇に当該美容液の浸透を促して、唇に対する美容効果を一層向上させることができる。
【００２２】
上記本体部には、上記加温手段及び上記イオン導入手段の動作状態を切り替えるスイッチが備えられているとともに、上記ヘッド部及び上記スイッチを覆うように着脱可能に取り付けられた蓋が備えられていることが好ましい。これにより、当該蓋によってスイッチ部を覆うことができるため、不使用時における誤操作の防止が図られる。また、蓋はヘッド部及びスイッチを一括して覆うため、それぞれを覆う蓋を別個に設ける場合に比べて、部品点数の削減に寄与するとともに、全体として一体感が増して意匠性が向上する。
【実施例】
【００２３】
（実施例１）
本例の実施例に係る唇用美容器につき、図１〜図１４を用いて説明する。
本例の唇用美容器１は、本体部１０と、本体部１０から突出形成されているとともに、唇に当接される唇当接面２０を突出端面に備えるヘッド部２と、を有する。
【００２４】
本体部１０は、ＡＢＳ樹脂製であって、略棒状に形成されている。本体部１０の軸方向Ｘの中央に把持可能な把持部１１を有している。本体部１０の軸方向一端側にはヘッド部２が突出形成されている。また、本体部１０におけるヘッド部２の基部の近傍には後述のスイッチ５０が備えられている。
【００２５】
ヘッド部２は、図１、図２に示すように、本体部１０から、軸方向Ｘに突出している。ヘッド部２は本体部１０と繋がって軸方向Ｘに突出するヘッド胴体部２ａと、ヘッド胴体部２ａの突出方向の先端部であるヘッド先端部２ｂとからなる。ヘッド胴体部２ａは、突出方向Ｘの先端（すなわち、ヘッド先端部２ｂ）に向かうに従って徐々に先細りする形状を呈している。ヘッド部２は中空となっている。ヘッド部２はＡＢＳ樹脂製であって、クロムメッキが施されており、導電性を有する。
【００２６】
ヘッド先端部２ｂの表面は、唇に当接可能な面である唇当接面２０を形成している。そして、唇当接面２０は突出方向Ｘに湾曲状に緩やかに膨らんでいる。唇当接面２０は、図２に示すように、ヘッド胴体部２ａの側面２０１が突出方向Ｘに交差する方向に湾曲する位置Ｐから突出方向先端側の面である。
【００２７】
図３に示すように、唇当接面２０の重心位置をＧとする。唇当接面２０の重心位置Ｇは、以下のように規定されている。すなわち、重心位置Ｇは、図２に示すヘッド部２の側面投影図において、突出方向先端側のヘッド胴体部２ａの側面２０１が突出方向Ｘに交差する方向に湾曲する位置Ｐのうちで最も突出方向先端側に位置する点Ｐ１と、最も突出方向後端側に位置する点Ｐ２とを通る仮想直線ＰＬを含むとともに、当該側面投影方向（図１における突出方向Ｘに垂直な幅方向Ｚであって、図２おける紙面奥行き方向）に平行な仮想平面Ｓに垂直な方向Ｙから見たときの唇当接面２０の仮想平面Ｓに平行な断面形状の重心に相当する位置（図３参照）である。なお、幅方向Ｚの一方を幅方向Ｚ１とし他方を幅方向Ｚ２とする。
【００２８】
図２に示すように、ヘッド部２の突出端面に形成されている唇当接面２０は、ヘッド部２の突出方向Ｘに対して傾斜している。唇当接面２０の重心位置Ｇにおける唇当接面２０の軸方向Ｘに対する傾斜角度（すなわち、仮想平面Ｓと軸方向Ｘとのなす角）αは、２０〜６０°とすることができ、本例では４０°である。また、唇当接面２０は、唇当接面２０の外縁２０ａから唇当接面２０の重心位置Ｇに向かうにつれて、突出方向Ｘに緩やかに膨出した形状を呈している。
【００２９】
図３に示すように、唇当接面２０は、唇当接面２０の重心位置Ｇにおける唇当接面２０に垂直な方向Ｙから見て、三方向にそれぞれ湾出する３つの丸角部（第１丸角部２１、第２丸角部２２、第３丸角部２３）が滑らかにつながった形状を有する。そして、当該丸角部のうち、曲率半径が最も小さい丸角部である第１丸角部２１が突出方向Ｘ（図１参照）の先端に位置している。
なお、第１丸角部２１よりも曲率半径の大きい第２丸角部２２、第３丸角部２３は、突出方向Ｘ（図１参照）の後端であって、図３に示すように唇当接面２０において、幅方向Ｚ（第１丸角部２１の突出方向Ｘの頂点２１ｂから重心位置Ｇに向かう方向Ｑと方向Ｙとに垂直な方向）の両端に位置している。
【００３０】
第１丸角部２１の曲率半径は、唇当接面２０の重心位置Ｇにおける唇当接面２０に垂直な方向から見て、２．０〜５．０ｍｍとすることが好ましく、２．５〜４．０ｍｍとすることがさらに好ましく、本例では、３．０ｍｍとしている。なお、第２丸角部２２及び第３丸角部２３の曲率半径は、５．５〜２０ｍｍとすることができ、本例では、それぞれ７．０ｍｍである。
【００３１】
また、図３に示すように、唇当接面２０において、第１丸角部２１と第２丸角部２２との間には第１中間部２４が形成されており、第１丸角部２１の外縁２１ａと第２丸角部２２の外縁２２ａとは第１中間部２４の外縁２４ａによって滑らかにつながっている。同様に、第２丸角部２２と第３丸角部２３との間には第２中間部２５が形成されており、両外縁２２ａ、２３ａは第２中間部２５の外縁２５ａによって滑らかにつながっている。また、第３丸角部２３と第１丸角部２１との間には第３中間部２６が形成されており、両外縁２３ａ、２１ａは第３中間部２６の外縁２６ａによって滑らかにつながっている。
【００３２】
そして、唇当接面２０の外縁２０ａは、図３に示すように、唇当接面２０の重心位置Ｇにおける唇当接面２０に垂直な方向Ｙ（図２参照）から見て、唇当接面２０の突出方向Ｘ（図２参照）の頂点２１ｂ及び重心位置Ｇを通る中心線Ｌ０に直交する方向Ｚに位置するそれぞれの端部（第２丸角部２２、第３丸角部２３）において、中心線Ｌ０から最も離れたそれぞれの最外点Ｐ３、Ｐ４の曲率半径が、突出方向Ｘの先端に位置している第１丸角部２１の曲率半径よりも大きい形状を有している。本例では最外点Ｐ３、Ｐ４における外縁２０ａの曲率半径はともに、５．５〜２０ｍｍとすることができ、６．０〜１０ｍｍとすることが好ましい。本例では、最外点Ｐ３、Ｐ４の曲率半径はともに８．０ｍｍである。
【００３３】
最外点Ｐ３は、中心線Ｌ０よりもＺ１方向側における唇当接面２０の外縁２０ａと中心線Ｌ０に直交する仮想直線Ｌ１との交点であって、頂点２１ｂから重心位置Ｇに向かう方向Ｑに仮想直線Ｌ１を移動させた時に、最外点Ｐ３と中心線Ｌ０との距離Ｄ１が最大となる外縁２０ａ上の点である。同様に最外点Ｐ４は、中心線Ｌ０よりもＺ２方向側における外縁２０ａと仮想直線Ｌ１との交点であって、仮想直線Ｌ１を方向Ｑに移動させた時に、最外点Ｐ４と中心線Ｌ０との距離Ｄ２が最大となる外縁２０ａ上の点である。
【００３４】
図３に示すように、交点２５ｂは、唇当接面２０の外縁２０ａにおける突出方向Ｘ（図２参照）の後端側に位置する第２中間部２５の外縁２５ａと中心線Ｌ０との交点である。距離Ｄｈは頂点２１ｂと交点２５ｂとの距離であって、方向Ｙ（図２参照）から見たときの唇当接面２０における長手方向の長さを示す。点ＰＣは、頂点２１ｂと交点２５ｂとの中点である。距離Ｄｗは、最外点Ｐ３と最外点Ｐ４との距離（すなわち、距離Ｄ１と距離Ｄ２とを合わせた距離）であって、方向Ｙから見たときの唇当接面２０における幅方向Ｚの長さを示す。交点ＰＸは、中心線Ｌ０と仮想直線Ｌ１との交点である。
【００３５】
そして、距離Ｄｗは距離Ｄｈよりも小さいため、唇当接面２０は方向Ｙから見て、幅方向Ｚよりも方向Ｑに長い形状となっている。さらに、交点ＰＸは、中点ＰＣと交点２５ｂとの間に位置しているため、唇当接面２０は方向Ｙから見て、突出方向Ｘ（図２参照）の後端側が幅広となる形状となっている。本例では、距離Ｄｈは１２．０ｍｍ、距離Ｄｗは１０．０ｍｍである。
【００３６】
そして、図３に示すように、唇当接面２０の重心位置Ｇにおける唇当接面２０に垂直な方向Ｙから見て、唇当接面２０における突出方向Ｘと反対側に位置する第２中間部２５の外縁２５ａが、突出方向Ｘ側の先端に位置する第１丸角部２１の外縁２１ａの曲率半径よりも大きい曲率半径を有する湾曲形状を呈している。第２中間部２５の外縁２５ａの曲率半径は５．０〜２０ｍｍとすることができ、好ましくは７．０〜１５．０ｍｍであり、本例では１０．０ｍｍである。これにより、第２中間部２５の外縁２５ａは、突出方向Ｘ側の先端に位置する第１丸角部２１の外縁２１ａに比べて、緩やかに湾曲している。
【００３７】
図３に示すように、上述の如く、各丸角部２１、２２、２３の外縁２１ａ、２２ａ、２３ａは、各中間部２４、２５、２６の外縁２４ａ、２５ａ、２６ａによって、滑らかにつながれている。これにより、唇当接面２０の外縁２０ａ全体は滑らかな環状の曲線を成している。そして、唇当接面２０は、第１丸角部２１から第２中間部２５へ向かうにつれて、幅（方向Ｑ及びＹに垂直な方向Ｚの長さ）が大きくなっている。すなわち、唇当接面２０は第１丸角部２１に向かって先細りした形状となっている。換言すると、唇当接面２０は方向Ｙから見て、仮想三角形の各角部を丸くして各辺を滑らかにつなぎ合わせた形状を成している。そして、唇当接面２０の外縁２０ａは、方向Ｙから見て、中心線Ｌ０を中心に線対称に形成されている。
【００３８】
さらに、図４に示すように、軸方向Ｘから見て、本体部１０の外縁１０ａの形状は唇当接面２０の外縁２０ａ（各丸角部２１、２２、２３の外縁２１ａ、２２ａ、２３ａ及び各中間部２４、２５、２６の外縁２４ａ、２５ａ、２６ａを繋いだ全体）の形状と相似となっている。
【００３９】
ヘッド部２の内部には、唇当接面２０を加温する加温手段３としての発熱装置３０が収納されている。発熱装置３０は、図５に示すように、発熱体３２としてのチップ型の抵抗器、温度センサ３３（サーミスタ）等が実装された発熱回路基板３１からなる。発熱体３２である抵抗器に通電させることによって当該発熱体３２が発熱するように構成されている。図６に示すように、発熱回路基板３１は唇当接面２０と反対側の内側面２７と平行となるとともに、発熱体３２が内側面２７に当接するように基板ホルダ３４によって支持されている。なお、発熱回路基板３１と内側面２７との間には、シリコングリスが充填されている。発熱装置３０には、本体部１０に収納された電池１２から電力が供給される。
【００４０】
本体部１０は、図５に示すように、正面側を形成する正面側部材１０ａと、本体部１０の背面側を形成する背面側部材１０ｂと、ヘッド部２が取り付けられている上面側部材１０ｃとからなり、内部には電池１２が保持される電池ホルダ１３と、電池ホルダ１３を覆う電池カバー１４とが備えられている。正面側部材１０ａ、背面側部材１０ｂ及び電池カバー１４はＡＢＳ樹脂製である。
【００４１】
図５、図６に示すように、上面側部材１０ｃには、突出方向Ｘに開口するヘッド部取付凹部１０３が形成されている。ヘッド部取付凹部１０３は、図６に示すように、ヘッド部２の唇当接面２０と反対側の筒状の基部２９の外形に沿うように形成されている。そして、ヘッド部２の基部２９とヘッド部取付凹部１０３の底部との間にヘッド部通電用金具２８ａの一端部が介設された状態で、ヘッド部取付凹部１０３にヘッド部２の基部２９が嵌め込まれ、ネジ２８によって基部２９がヘッド取付凹部１０３の底部に締結されている。これにより、ヘッド部２の唇当接面２０が、ヘッド部通電用金具２８ａを介して、後述のイオン導入回路基板４１に電気的に接続されて、イオン導入装置４０の第１電極を構成している。
【００４２】
また、電池カバー１４にはクロムメッキが施されており、導電性が付与されている。図５に示すように、電池カバー１４は、本体部１０の左右側面を覆っている。電池カバー１４の内側（電池１２側）の面には、電池カバー通電用金具１４ａが備えられている。そして、電池カバー１４が当該電池カバー通電用金具１４ａを介して、後述のイオン導入回路基板４１に電気的に接続されて、イオン導入装置４０の第２電極を構成している。
【００４３】
発熱装置３０の各部の間の電気的接続について図７を用いて詳説する。発熱装置３０は、発熱体３２、温度センサ３３、発熱装置制御部３５から構成されている。
電源部１２０は電池１２（図６参照）を備え、発熱装置制御部３５内の発熱装置制御用マイコン３５ａ及び発熱体３２とのそれぞれに接続されており、電池１２からこれらの各部に対して作動用電力を供給している。また、電源部１２０にはタイマー７０が接続されている。タイマー７０がスタートした後、所定の時間経過すると、電源部１２０に停止信号が送られるように構成されている。発熱装置制御用マイコン３５ａには発熱体３２へ制御信号を送る信号出力部４２２が備えられている。
【００４４】
温度センサ３３としてのサーミスタは、発熱体３２の温度を検出する。温度センサ３３によって検出された温度値は、発熱装置制御用マイコン３５ａへ送られる。そして、発熱装置制御用マイコン３５ａにおいて、上記温度値が基準温度（本例では、４０℃）と比較される。検出された温度値が基準温度よりも低いと判断された場合には、発熱装置制御用マイコン３５ａから発熱体３２へ制御信号が送られるとともに、電源部１２０から発熱体３２へ電力の供給がなされて発熱体３２が発熱する。上記検出された温度値が基準温度以上であると判断された場合には、発熱装置制御用マイコン３５ａから制御信号が発熱体３２へ送られるとともに、電源部１２０から発熱体３２へ電力の供給が停止される。
【００４５】
本体部１０には唇と唇当接面２０との間に電位差を付与する電位差付与手段４としてのイオン導入装置４０が設けられている。イオン導入装置４０は、図５、図６に示すように、イオン導入回路が形成する電子部品等が実装されているイオン導入回路基板４１を備える。イオン導入装置４０の各部の間の電気的接続について図７を用いて詳説する。イオン導入装置４０は、イオン導入装置制御部４２及び電圧印加部４３を備える。イオン導入装置制御部４２及び電圧印加部４３はそれぞれ、電源部１２０に接続されており、電池１２からこれらの各部に対して作動用電力が供給されている。
【００４６】
イオン導入装置制御部４２は、図７に示すように、電源部１２０、電圧印加部４３及び還流部４４に接続されており、これらの各部の動作を制御可能に構成されている。また、電圧印加部４３は、第１電極となる唇当接面２０、第２電極となる電池カバー１４及び還流部４４に接続されている。イオン導入装置制御用マイコン４２ａは、各部の動作を制御する信号を入出力する機能を有する。電圧印加部４３は、第１電極（唇当接面２０）と第２電極（電池カバー１４）との間に電圧を印加する機能を有する。還流部４４は、第１電極（唇当接面２０）または第２電極（電池カバー１４）から人体に流れる電流を取り込み、電源部１２０へ還流させる機能を有する。
【００４７】
還流部４４は、電圧印加部４３と、電源部１２０のマイナス極へ接続されている接地部４４１との間に配されている。また、還流部４４はイオン導入装置制御用マイコン４２ａの後述するＡＤＣ（Analog  to  Digital  Converter）４２０に接続されている。これにより、イオン導入装置制御部４２は、還流部４４内の電位差をイオン導入装置制御用マイコン４２ａに入力できるよう構成されている。
【００４８】
電圧印加部４３は、極性反転回路４３０と定電流回路４３１を有しており、両者が互いに接続されて構成されている。極性反転回路４３０は、イオン導入装置制御用マイコン４２ａの信号出力部４２２と互いに接続されている。また、極性反転回路４３０は、第１電極（唇当接面２０）と第２電極（電池カバー１４）との各々と接続されている。これにより、極性反転回路４３０は、信号出力部４２２から出力される電圧制御信号に基づいて第１電極（唇当接面２０）と第２電極（電池カバー１４）との間の電位差を制御可能に構成されている。
【００４９】
定電流回路４３１は、第１電極（唇当接面２０）と第２電極（電池カバー１４）との間に流れる電流を一定値に保つ機能を有する。また、定電流回路４３１は、イオン導入装置制御用マイコン４２ａの信号出力部４２２に接続されている。そして、定電流回路４３１は、第１電極（唇当接面２０）と第２電極（電池カバー１４）との間に流れる電流を一定の値に維持している。
【００５０】
還流部４４は、定電流回路４３１と接地部４４１との間に接続された抵抗器４４０を有している。これにより、電圧印加部４３側から取り込まれた電流は、抵抗器４４０内を接地部４４１側へ向かって流れ、接地部４４１を介して電源部１２０のマイナス極へ還流される。また、還流部４４における電圧印加部４３と抵抗器４４０との間は、イオン導入装置制御用マイコン４２ａのＡＤＣ４２０と接続されている。これにより、ＡＤＣ４２０は、電圧印加部４３と抵抗器４４０との間の点の、接地部４４１の電位（以下、接地部４４１の電位を「接地電位」という）に対する電位差が入力されるよう構成されている。
【００５１】
本例のイオン導入装置制御用マイコン４２ａは、付加機能として、第１電極（唇当接面２０）及び第２電極（電池カバー１４）と人体との接触状態に応じてイオン導入装置４０の動作を変更する機能を備えている。つまり、本例のイオン導入装置制御用マイコン４２ａは、第１電極（唇当接面２０）及び第２電極（電池カバー１４）の双方と人体とが接触している場合には、図１３に示すイオン導入ステップＳ２８、及びリセットパルスステップＳ２９を繰り返すイオン導入モードを実行するようにイオン導入装置４０の動作を制御する。一方、本例のイオン導入装置制御用マイコン４２ａは、第１電極（唇当接面２０）または第２電極（電池カバー１４）の少なくとも一方が人体と接触していない場合には、ディレイタイマー４２３により設定される所定の時間間隔で繰り返す（ステップＳ２７）ようにイオン導入装置４０の動作を制御する。
【００５２】
以下、本例のイオン導入装置制御用マイコン４２ａについて詳説する。図７に示すように、イオン導入装置制御用マイコン４２ａは、ＡＤＣ４２０と、演算部４２１と、信号出力部４２２と、ディレイタイマー４２３とを有している。ＡＤＣ４２０は、還流部４４内の電位差をデジタル化する機能を有している。演算部４２１は、第１電極（唇当接面２０）と第２電極（電池カバー１４）とが人体と接触しているか否かを判定する機能を有している。信号出力部４２２は、第１電極（唇当接面２０）または第２電極（電池カバー１４）から唇の肌面に流す電流を制御する機能を有している。
【００５３】
ＡＤＣ４２０は還流部４４と接続されており、接地電位に対する還流部４４の電位差をデジタル化するよう構成されている。ＡＤＣ４２０によりデジタル化された上記電位差の値は、イオン導入装置制御用マイコン４２ａ内において演算部４２１へ伝達される。
【００５４】
演算部４２１は、ＡＤＣ４２０より入力された上記電位差の値を所定の閾値と比較する。そして、演算部４２１は、上記電位差の値が上記所定の閾値未満である場合に第１電極（唇当接面２０）または第２電極（電池カバー１４）の少なくとも一方が人体と接触していないと判定し、上記電位差の値が上記所定の閾値以上である場合に第１電極（唇当接面２０）と第２電極（電池カバー１４）との双方が人体と接触していると判定するよう構成されている。また、演算部４２１は、上記判定の結果と、後述の動作フローとの双方に基づいて信号出力部４２２から出力する信号を制御可能に構成されている。
【００５５】
信号出力部４２２は、図７に示すように、演算部４２１からの制御信号を受けて、電圧印加部４３に対して電圧制御信号を出力するよう構成されている。電圧制御信号は、電圧印加部４３の極性反転回路４３０に入力され、第１電極（唇当接面２０）と第２電極（電池カバー１４）との間に印加する電圧のオンオフ及び極性を制御する。
【００５６】
ディレイタイマー４２３は、演算部４２１における上記判定の結果、第１電極（唇当接面２０）または第２電極（電池カバー１４）の少なくとも一方が人体と接触していないと判定された場合に、演算部４２１により起動される。ディレイタイマー４２３は、演算部４２１の動作を所定の時間停止させる機能を有する。これにより、イオン導入装置４０は、ディレイタイマー４２３が起動してから上記所定の時間が経過するまでの間、演算部４２１の動作停止に伴って各部の動作が停止される。また、ディレイタイマー４２３は、上記所定の時間が経過した後に演算部４２１の動作を再開させるよう構成されている。
【００５７】
本体部１０には、発熱装置３０及びイオン導入装置４０の動作状態を制御するスイッチ５０が備えられている。図１に示すように、スイッチ５０は、本体部１０の上面側部材１０ｃのヘッド部２近傍に配設されている。スイッチ５０は、図５に示すように、本体部１０の内部のスイッチ基板５１に実装されたスイッチ素子５２を押下可能に構成されている。図６に示すように、スイッチ基板５１は軸方向Ｘに平行に配設されている。一方、上面側部材１０ｃはヘッド部２の突出方向Ｘに向かって縮径するように形成されており、上面側部材１０ｃの表面は軸方向（突出方向）Ｘに対して傾斜している。そして、スイッチ５０の外側表面も上面側部材１０ｃの表面に沿って、軸方向Ｘに対して傾斜するように設けられている。スイッチ基板５１には、後述の発熱装置３０及びイオン導入装置４０の作動状態に応じて点灯するＬＥＤランプ４５ａが備えられている。
【００５８】
図５、図６に示すように、スイッチ基板５１はヘッド部２の内側に差し込まれており、基板ホルダ３４を突出方向Ｘに押圧している。これにより、発熱体３２としての抵抗器が内側面２７に押圧されている。なお、基板ホルダ３４とスイッチ基板５１との間には、高密度ウレタンフォームからなるスペーサ５９が介在されている。
【００５９】
スイッチ５０は、スイッチ本体５３、パッキン５４、スイッチスリーブ５５及びスイッチホルダ５６を備える。スイッチ本体５３は本体部１０内部側に突出する突起部５３ａを備える。スイッチ本体５３はＡＢＳ樹脂製である。突起部５３ａは透光性を有するポリカーボネート樹脂製である。そして、突起部５３ａの一部がスイッチ本体５３から外側に表出して後述のインジケータ部４５が形成されている。
【００６０】
スイッチスリーブ５５は、図５、図６に示すように、スイッチ本体５３の裏面に沿う板状部５５ａと、スイッチ本体５３の突起部５３ａが挿通する筒状部５５ｂとを有する。突起部５３ａは板状部５５ａを貫通して筒状部５５ｂに挿通されている。スイッチ本体５３の裏面と板状部５５ａとの間には、パッキン５４が介設されている。そして、スイッチ本体５３の突起部５３ａがスイッチスリーブ５５に挿通された状態で、本体部１０の上面側部材１０ｃの正面側に形成された凹部１０１（図５参照）に配設されている。凹部１０１の底部には、スイッチスリーブ５５の筒状部５５ｂが挿通される貫通孔が形成されており、該貫通孔を介して筒状部５５ｂ及び突起部５３ａが本体部１０の内側に位置している。スイッチスリーブ５５は、透光性のＰＣ（ポリカーボネート）樹脂製である。スイッチスリーブ５５の板状部５５ａと凹部１０１の底部との間には防水シート５７が介設されている。そして、スイッチ本体５３の突起部５３ａの先端には抜け止め用のワッシャ５８が取り付けられている。突起部５３ａの先端面は、スイッチ５０の外側表面の傾斜に平行であって、軸方向Ｘに対して傾斜している。
【００６１】
スイッチホルダ５６は、図８に示すように、環状に形成された環状部５６ａと、環状部５６ａの内側に設けられた押下子５６ｂとを備える。押下子５６ｂは、環状部５６ａの内側面の一部から軸方向Ｘ下方側に延設された延設部５６ｃを介して固定されている。そして、押下子５６ｂは、当該延設部５６ｃが撓むことで揺動可能に構成されている。押下子５６ｂは、図９に示すように、スイッチ本体５３の突起部５３ａの先端面が当接する被押下面５６ｄと、被押下面５６ｄと反対側であってスイッチ基板５１に実装されたスイッチ素子５２に当接する素子当接面５６ｅとを有する。被押下面５６ｄは、突起部５３ａの先端面に平行であって軸方向Ｘに対して傾斜している。素子当接面５６ｅは、スイッチ基板５１に平行に形成されている。
【００６２】
これにより、スイッチ本体５３を押下することにより、突起部５３ａが押下子５６ｂの被押下面５６ｄを押下する。そして、押下子５６ｂがスイッチ基板５１側に揺動することにより、押下子５６ｂの素子当接面５６ｅがスイッチ素子５２をスイッチ基板５１の略垂直な方向から押下することとなる。このように、スイッチホルダ５６が備えられることにより、スイッチ基板５１に対して傾斜して配設されたスイッチ５０によって、スイッチ素子５２を上記の如く略垂直な方向から押下することができ、確実にスイッチ５０のオンオフを行うことができる。
【００６３】
また、図６に示すように、スイッチ基板５１に配設されているＬＥＤランプ４５ａは、スイッチスリーブ５５を介してインジケータ部４５に対向している。スイッチスリーブ５５及びインジケータ部４５はいずれも透光性を有するため、ＬＥＤランプ４５ａの光はスイッチスリーブ５５を介してインジケータ部４５から外部に放出されるように構成されている。
【００６４】
図３、図６及び図１０に示すように、本体部１０には、ヘッド部２及び上面側部材１０ｃ全体を覆う蓋６０が着脱可能に設けられている。図６に示すように、蓋６０は上面側部材１０ｃに設けられた係合突起１０２に係合する係合凹部６１を有する。係合突起１０２に蓋６０の係合凹部６１が係合することにより、蓋６０は本体部１０に着脱可能に取り付けられる。
【００６５】
次に、本例の唇用美容器１の動作フローについて説明する。
図１１に示すように、スイッチ５０を押すステップＳ１を行う。スイッチ５０を押すと、インジケータ部４５が赤色に点灯する（ステップＳ２）。そして、発熱装置３０が作動して（ステップＳ３）、タイマー７０がスタートする（ステップＳ４）。これにより、加温モードがスタートする。
【００６６】
続いて、発熱装置制御部３５が電池１２の電圧が０．９Ｖ以下であるか判定する（ステップ５）。当該電圧が０．９Ｖ以下であると判定された場合は、インジケータ部を消灯し、発熱装置３０を停止して（ステップＳ１０）、唇用美容器１の動作を終了させる。一方、当該電圧が０．９Ｖ以下でないと判定された場合、スイッチ５０が押下されたか否かを発熱装置制御部３５が判定する（ステップＳ６）。スイッチ５０が押下されていないと判定された場合は、温度センサ３３によって検出された唇当接面２０の温度が４０℃より大きいか否かを発熱装置制御部３５が判定する（ステップＳ７）。当該温度が４０℃より大きいと判定された場合は、発熱装置制御部３５が発熱装置３０に制御信号を送って発熱体３２の発熱量を低下させる制御を行う（ステップＳ８）。
【００６７】
その後、タイマー７０のスタートから２分を経過したか否かを発熱装置制御部３５が判定する（ステップＳ９）。タイマー７０のスタートから２分を経過していないと判定された場合には、再度上述のステップＳ５に戻る。一方、２分を経過していると判定された場合には、インジケータ部４５を消灯し、発熱装置３０を停止して（ステップＳ１０）、唇用美容器１の動作を終了させる。
【００６８】
また、上記ステップＳ７において、温度センサ３３によって検出された唇当接面２０の温度が４０℃より大きくないと判定された場合は、ステップＳ１１を行う。すなわち、図１２に示すように、まず、タイマー７０をキャンセルし（ステップＳ１１）、インジケータ部を青色に点灯させる（ステップＳ１２）。そして、発熱装置３０とイオン導入装置４０が作動され（ステップＳ１３）、タイマー７０が再度スタートされる（ステップＳ１４）。これにより、加温モード及びイオン導入モードが並行してスタートする。
【００６９】
そして、加温モードが実施される発熱装置３０の動作フロー（ステップＳ１６〜Ｓ２０）は、上述のステップＳ５〜Ｓ９とそれぞれ同様に行われる。ステップＳ２０において、タイマー７０の再スタートから２分を経過していると判定された場合及び、ステップＳ１７においてスイッチ５０が再度押下された場合には、インジケータ部４５を消灯し、発熱装置３０を停止し、イオン導入装置４０を停止して（ステップＳ２１）、唇用美容器１の動作を終了させる。
【００７０】
ステップＳ１５にてイオン導入モードが実施されるイオン導入装置４０の動作フローについて、図１３及び図１４を用いて説明する。イオン導入装置４０は、電源部１２０より電源が供給されると、図１３に示すように、イオン導入装置制御用マイコン４２ａを初期化するステップＳ２２を行う。
【００７１】
その後、イオン導入装置制御用マイコン４２ａは、ディレイタイマー４２３により所定の時間の経過を待つステップＳ２３を行う。なお、本例のディレイタイマー４２３は、上記所定の時間を５０〜１０００ミリ秒の範囲で適宜設定することができる。
【００７２】
イオン導入装置制御用マイコン４２ａは、ステップＳ２３に次いで、電源部１２０から電圧印加部４３に作動用電力を供給するステップＳ２４を行うとともに、信号出力部４２２から電圧制御信号を出力する。これにより、イオン導入装置制御用マイコン４２ａは、第２電極（電池カバー１４）に対して第１電極（唇当接面２０）が低電位となるように両電極間の電位差を制御しつつ、両電極間にパルス電圧を１回印加する。このようにして第１電極（唇当接面２０）と第２電極（電池カバー１４）との間にパルス電圧が１回印加されるステップＳ２５が実施される。本例において、ステップＳ２５におけるパルス電圧の値は、５Ｖとした。
【００７３】
続いて、図１３に示すように、還流部４４における電位差を測定するステップＳ２６が実施される。ステップＳ２６において、第１電極（唇当接面２０）と第２電極（電池カバー１４）との双方と肌とが接触している場合には、第２電極（電池カバー１４）から人体を介して第１電極（唇当接面２０）に上記パルス電圧によるパルス電流が流れる。当該パルス電流は、第１電極（唇当接面２０）からイオン導入装置制御部４２内へ取り込まれ、還流部４４における抵抗器４４０の両端間に電位差を生じさせる。これにより、唇当接面２０が当接された唇と唇当接面２０との間に電位差が付与されることとなる。そして、抵抗器４４０の両端間に生じた電位差、すなわち接地電位を基準とした還流部４４内の電位差は、イオン導入装置制御用マイコン４２ａのＡＤＣ４２０に入力され、その値の測定が行われる。
【００７４】
一方、第１電極（唇当接面２０）または第２電極（電池カバー１４）の少なくとも一方が肌と接触していない場合には、上記パルス電圧を印加しても抵抗器４４０に電流が流れず、抵抗器４４０の両端間に電位差が発生しない。そのため、第１電極（唇当接面２０）または第２電極（電池カバー１４）の少なくとも一方が肌と接触していない場合には、電位差の値は０Ｖとなる。
【００７５】
その後、イオン導入装置制御用マイコン４２ａは、演算部４２１における上記電位差と所定の閾値Ｌとの比較結果に基づいて第１電極（唇当接面２０）及び第２電極（電池カバー１４）と人体との接触状態を判定するステップＳ２７を行う。ステップＳ２６において測定した電位差が閾値Ｌ未満となる場合には、イオン導入装置制御用マイコン４２ａは、第１電極（唇当接面２０）または第２電極（電池カバー１４）の少なくとも一方が人体と接触していないと判定する（ステップＳ２７）。この場合、イオン導入装置制御用マイコン４２ａは、ステップＳ２３に戻ってディレイタイマー４２３を起動する。そして、イオン導入装置制御用マイコン４２ａは、ステップＳ２７において第１電極（唇当接面２０）または第２電極（電池カバー１４）の少なくとも一方が人体と接触していないと判定されている間は、ステップＳ２３〜ステップＳ２７を繰り返す。なお、本例においては、閾値Ｌは５０〜２００ｍＶの間で適宜設定することができる。
【００７６】
一方、ステップＳ２７において接地電位を基準とした還流部４４内の電位差が閾値Ｌ以上となる場合、イオン導入装置制御用マイコン４２ａは、第１電極（唇当接面２０）と第２電極（電池カバー１４）との双方が人体と接触していると判定する（ステップＳ２７、）。
【００７７】
そして、イオン導入装置制御用マイコン４２ａは、イオン導入ステップＳ２８と、リセットパルスステップＳ２９とを繰り返すイオン導入モードを開始する。これにより、肌に流れる電流の波形は、図１４に示す基本波形Ｆ１とＦ２とが繰り返されるものとなる。
【００７８】
イオン導入モードは、イオン導入装置制御用マイコン４２ａにより、第１電極（唇当接面２０）と第２電極（電池カバー１４）との双方が人体と接触している間実行され、第１電極（唇当接面２０）または第２電極（電池カバー１４）の少なくとも一方が人体から離れると停止される。
【００７９】
より詳細には、イオン導入ステップＳ２８において、イオン導入装置制御用マイコン４２ａは、第２電極（電池カバー１４）に対して第１電極（唇当接面２０）が低電位となるように両電極間の電位を制御しつつ、両電極間にパルス電圧を複数回印加する。これにより、第１電極（唇当接面２０）は、図１４に示す基本波形Ｆ１のように、肌に負極性のパルス電流を複数回流すことができる。
【００８０】
リセットパルスステップＳ２９において、イオン導入装置制御用マイコン４２ａは、第２電極（電池カバー１４）に対して第１電極（唇当接面２０）が高電位となるように両電極間の電位差を制御しつつ、両電極間にパルス電圧を１回印加する。これにより、第１電極（唇当接面２０）は、図１４に示す基本波形Ｆ２のように、肌に正極性のパルス電流を流すことができる。
【００８１】
次に、本例の唇用美容器１における作用効果について、詳述する。
本例の唇用美容器１においては、唇当接面２０が上記の形状を呈しているため、唇当接面２０の突出方向Ｘの先端に位置している丸角部である第１丸角部２１を唇の端にまで十分当接させることが容易となる。また、唇当接面２０の突出方向Ｘの先端に位置している丸角部である第１丸角部２１は先細りの形状を呈しているため、いわゆる縦ジワが形成された部分に対しても唇当接面２０を十分に当接させることができる。その結果、唇の隅々において十分な美容効果を奏することができる
【００８２】
本例の唇用美容器１によれば、突出方向Ｘ側の先端に位置する丸角部である第１丸角部２１の曲率半径は、唇当接面２０の重心位置Ｇにおける唇当接面２０に垂直な方向から見て、２．０〜５．０ｍｍとすることができ、本例では３．０ｍｍである。これにより、唇当接面２０の突出方向Ｘ側の先端の第１丸角部２１が口角に沿う形状となるため、唇当接面２０を口角に一層十分当接させることができ、唇に対する美容効果を一層向上できる。
【００８３】
唇当接面２０の外縁２０ａは、図３に示すように、唇当接面２０の重心位置Ｇにおける唇当接面２０に垂直な方向Ｙ（図２参照）から見て、唇当接面２０の突出方向Ｘ（図２参照）の頂点２１ｂ及び重心位置Ｇを通る中心線Ｌ０に直交する方向Ｚに位置するそれぞれの端部（すなわち、第２丸角部２２、第３丸角部２３）において、中心線Ｌ０から最も離れたそれぞれの最外点Ｐ３、Ｐ４の曲率半径が、突出方向Ｘの先端に位置している第１丸角部２１の曲率半径よりも大きい形状を有している。これにより、唇当接面２０の突出方向側の先端に位置する第１丸角部２１を適度に細く維持しつつ、唇当接面２０の中央付近を方向Ｚにおいて適度に幅広に形成することができる。その結果、唇当接面２０の突出方向Ｘ側の先端に位置する第１丸角部２１を口角に当接させやすいことに加えて、口角に比べて幅広の唇中央部に対しても唇当接面２０を十分当接させることができる。これにより、唇全体に対してより一層美容効果を奏することができる。
【００８４】
また、唇当接面２０の重心位置Ｇにおける唇当接面２０の軸方向Ｘに対する傾斜角度αは、２０〜６０°とすることができ、本例では４０°となっている。これにより、把持部１１を把持した状態で、唇当接面２０を唇に当接させやすくなっている。
【００８５】
唇当接面２０は、唇当接面２０の重心位置Ｇにおける唇当接面２０に垂直な方向Ｙから見て、唇当接面２０における突出方向Ｘ側の先端に位置する第１丸角部２１と反対側の第２中間部２５の外縁部２５ａが、当該先端に位置する第１丸角部２１の外縁２１ａの曲率半径よりも大きい曲率半径を有する湾曲形状を呈している。これにより、唇当接面２０の先端に位置する第１丸角部２１を先細りの形状としつつ、唇当接面２０の後端に位置する第２中間部２５を幅広の形状とすることができる。その結果、唇当接面２０の先端に位置する第１丸角部２１を口角等に十分当接させることができるとともに、唇当接面２０の後端側を口角よりも幅広の唇中央部に容易に当接させることができる。これにより、唇全体に対する美容効果を一層向上することができる。
【００８６】
唇当接面２０は、唇当接面２０の外縁部２０ａから重心位置Ｇに近づくにつれて、突出方向Ｘに向かって緩やかに膨出している。これにより、唇当接面２０が緩やかに膨らんだ形状を呈することから、唇当接面２０が指先や指の腹の形状に近い形状となる。その結果、使用時において唇当接面２０を唇に当接させたときに、使用者に対して指先や指の腹が唇に触れているように感じさせることができるため、使用感が向上する。
【００８７】
唇当接面２０が突出方向Ｘに向かって過度に膨らんでいる場合には、使用時において、唇当接面２０と唇との接触面積が過度に小さくなるため、イオン導入装置４０による唇へのイオン導入時に刺激が強くなって、使用者が痛みを感じるなどして使用感を低下させるおそれがある。一方、唇当接面２０が突出方向Ｘに向かって膨らんでおらず、平面状に形成されている場合には、使用時において、唇当接面２０と唇との接触面積が過度に大きくなるため、両者間の摩擦が大きくなる。これにより、操作性が悪くなるとともに、使用感を低下させるおそれがある。しかし、本例では、唇当接面２０が突出方向Ｘに向かって緩やかに膨らんだ形状を呈することから、唇当接面２０と唇との接触面積が適度に維持される。これにより、使用時において唇当接面２０と唇との摩擦が適度に低減されるとともに、イオン導入時に刺激が強くなりすぎないため、操作性がよいとともに使用感が向上する。
【００８８】
本体部１０は棒状であって把持可能に構成されており、ヘッド部２は本体部１０の軸方向Ｘに突出している。そして、本体部１０の外縁１０ａの形状は、本体部１０の軸方向Ｘから見て、唇当接面２０の外縁２０ａの形状と相似となっている。これにより、使用者は本体部１０を把持するだけで、唇当接面２０が向いている方向を把握することができるため、使用時に鏡等が不要となることから使い勝手が良い。
【００８９】
ヘッド部２には、唇当接面２０を加温する加温手段３が備えられている。これにより、唇の隅々まで加温することができ、唇の血流を増加させることにより、高い美容効果を奏する。また、使用者における使用時の体感を向上させることができる。また、リップクリームやリップ用ジェルなどの美容剤と合わせて使用する場合には、加温手段３により、唇を加温するとともに美容剤を加温することができる。これにより、美容剤の唇への塗り伸ばしが容易となるとともに、当該美容剤の唇への浸透を促して美容効果を向上することができる。
【００９０】
ヘッド部２は中空の柱状に形成されており、加温手段３はヘッド部２における唇当接面２０と反対側の面（内側面２７）に当接された発熱装置３０からなることが好ましい。これにより、当該加温手段３によって発熱装置３０の熱を唇当接面２０に効率的に伝播させることができるため、唇当接面２０の加熱効率が向上する。また、唇当接面２０と反対側の面（内側面２７）と発熱装置３０との間にシリコングリスが介在している。これにより、発熱装置３０から唇当接面２０への熱の伝播効率が向上する。
【００９１】
ヘッド部２には、唇と唇当接面２０との間に電位差を付与する電位差付与手段４としてのイオン導入装置４０が備えられている。これにより、唇に対してイオン導入効果を奏することができ、使用時に所定の美容液を使用することによって唇に当該美容液の浸透を促して、唇に対する美容効果を一層向上させることができる。
【００９２】
本体部１０には、加温手段３及び電位差付与手段４の動作状態を切り替えるスイッチ５０が備えられているとともに、ヘッド部２及びスイッチ５０を覆うように着脱可能に取り付けられた蓋６０が備えられている。これにより、蓋６０によってスイッチ５０を覆うことができるため、不使用時における誤操作の防止が図られる。また、蓋６０はヘッド部２及びスイッチ５０を一括して覆うため、それぞれを覆う蓋を別個に設ける場合に比べて、部品点数の削減に寄与するとともに、全体として一体感が増して意匠性が向上する。
【００９３】
本例では、発熱体３２として、チップ型の抵抗器を採用している。チップ型の抵抗器は小型であるため、ヘッド部２の中空部という限られた空間に配設しやすい。さらに、チップ型の抵抗器は立方体形状を有していることから、唇当接面２０の裏面である平面状の内側面２７に対して隙間なく当接させやすいため、唇当接面２０を効率的に加温することができる。さらにチップ型の抵抗器は安価に入手することができるため、コスト抑制の効果を奏する。なお、発熱体３２として、チップ型の抵抗器に替えて、ニクロム線ヒータ等の公知のヒータを採用してもよい。この場合も当該ヒータを内側面２７に当接させて配置することが好ましい。これにより、当該ヒータによっても唇当接面２０を効率的に加温することができる。
【００９４】
本例では、唇当接面２０の外縁２０ａは、方向Ｙから見て、中心線Ｌ０を中心に線対称に形成されていることとしたが、これに限らず、中心線Ｌ０を中心に非対称であってもよい。例えば、外縁２０ａを、中心線Ｌ０よりも方向Ｚ１側の第２丸角部２２の曲率半径が、反対側の第３丸角部２３の曲率半径よりも大きくなるように形成したり、距離Ｄ２が距離Ｄ１よりも小さくなるように形成したりしてもよい。
【００９５】
また、本例では、本体部１０が把持部１１を構成することとしたが、これに限らず、本体部１０に把持部としてのハンドルを別途設けたり、当該ハンドルを本体部１０と一体形成したりしてもよい。
【００９６】
また、本例では、加温のみを行うモードと、加温とイオン導入とを並行して行うモードの二種類のモードを切り替えることができるものとしている。これにより、イオン導入の際にも唇の加温を行うことができるため、イオン導入モード使用時における使用者の体感の向上が図られる。なお、これに限らず、当該二種類のモードに加えてイオン導入のみを行うモードに切り替え可能としてもよいし、加温のみを行うモード及びイオン導入のみを行うモードの二種類のモードを切り替え可能としてもよいし、イオン導入のみを行うモード及び加温とイオン導入とを並行して行うモードの二種類のモードを切り替え可能としてもよい。
【００９７】
以上のごとく、本例によれば、唇全体に対して十分な美容効果を奏することができる唇用美容器１を提供することができる。
【符号の説明】
【００９８】
１  唇用美容器
１０  本体部
２  ヘッド部
２０  唇当接面
２１  第１丸角部
２５  第２中間部
３  加温手段
３０  発熱装置
４  電位差付与手段
４０  イオン導入装置
５０  スイッチ
６０  蓋
７０  タイマー
【図１】
2015167638.tif 000003
【図２】
2015167638.tif 000004
【図３】
2015167638.tif 000005
【図４】
2015167638.tif 000006
【図５】
2015167638.tif 000007
【図６】
2015167638.tif 000008
【図７】
2015167638.tif 000009
【図８】
2015167638.tif 000010
【図９】
2015167638.tif 000011
【図１０】
2015167638.tif 000012
【図１１】
2015167638.tif 000013
【図１２】
2015167638.tif 000014
【図１３】
2015167638.tif 000015
【図１４】
2015167638.tif 000016